(57)【要約】  本装置および関連する方法は、折り畳み可能な横方向支持棒、一対の前脚、一対の前側椅子支持棒、および関連する支柱の対と結合するように構成された一対の機械的接合部を有する折り畳み椅子に関する。折り畳み椅子は持ち運びが容易な容量に折りたたまれるよう構成されている。例示的な例では、機械的接合部は、様々な支持棒および／または脚に取り外し可能におよび／またはショックコード連結され得る。機械的接合部は、例えば、関連する支柱を機械的接合部に対して固定位置にロックするロック機構を含む。折り畳み椅子は、折り畳み椅子から所持品を吊り下げるためのギアループを含む。様々な実施形態において、折り畳み椅子は、屋外ハイキング中の高い携帯性のために収納バッグにコンパクトに保管するよう構成されたフルサイズの軽量椅子を有利に提供し得る。【選択図】図１
2020506031.tif 000002
【特許請求の範囲】
【請求項１】
折り畳み椅子（１００）であって、
第１の端部および第２の端部を含む折り畳み可能な横棒（１２０）と、
前記折り畳み可能な横棒（１２０）の前記第１の端部に結合するよう構成され、第１の支柱（１１５）に取り外し可能に結合するよう構成された第１の機械的接合部（１３０）と、
前記折り畳み可能な横棒（１２０）の前記第２の端部に結合するよう構成され、第２の支柱（１１５）に取り外し可能に結合するよう構成された第２の機械的接合部（１３０）と、
前記第１および第２の機械的接合部（１３０、１３０）にそれぞれ取り外し可能に連結された第１および第２の脚部（１１０、１１０）と、
前記第１および第２の機械的接合部（１３０、１３０）にそれぞれ取り外し可能に連結された第１および第２の前側椅子支持部材（１２５、１２５）と、
右前部、左前部、右上部、左上部を具える可撓性の椅子シート（１３５）と、
を具えており、
前記第１および第２の支柱（１１５、１１５）がそれぞれ前記第１および第２の機械的接合部（１３０、１３０）に結合される場合に、
前記第１および第２の支柱（１１５、１１５）が、それぞれ前記折り畳み椅子（１００）の第３および第４の脚として機能し、
前記右前部が、前記第１の前側椅子支持部材（１２５）に取り外し可能に結合するよう構成され、前記左前部が、前記第２の前側椅子支持部材（１２５）に取り外し可能に結合するよう構成され、前記右上部が、前記第１の支柱（１１５）の遠位端に取り外し可能に結合するよう構成され、前記左上部は、前記第２の支柱（１１５）の遠位端に取り外し可能に結合するよう構成され、
前記第１の脚部（１１０）が、前記第１の機械的接合部（１３０）にショックコード連結され、前記第２の脚部（１１０）が、前記第２の機械的接合部（１３０）にショックコード連結され、前記第１の前側椅子支持部材（１２５）が、前記第１の機械的接合部（１３０）にショックコード連結され、前記第２の前側椅子支持部材（１２５）が、前記第２の機械的接合部（１３０）にショックコード連結されることを特徴とする折り畳み椅子。
【請求項２】
請求項１に記載の折り畳み椅子（１００）において、
前記第１の機械的接合部（１３０）が、前記第１の機械的接合部（１３０）に対して前記第１の支柱（１１５）を固定位置に選択的にロックするよう構成された第１のロック部材（１５０）を具え、前記第２の機械的接合部（１３０）が、前記第２の機械的接合部（１３０）に対して固定位置に前記第２の支柱（１１５）を選択的にロックするよう構成された第２のロック部材（１５０）を具えることを特徴とする折り畳み椅子。
【請求項３】
請求項２に記載の折り畳み椅子（１００）において、
前記第１および第２のロック部材（１５０、１５０）が、カラークランプロックを具えることを特徴とする折り畳み椅子。
【請求項４】
請求項１に記載の折り畳み椅子（１００）において、
前記第１および第２の機械的接合部（１３０、１３０）が、さらに、前記第１および第２の支柱（１１５、１１５）がそれぞれ前記第１および第２の機械的接合部（１３０、１３０）に結合されるように、それぞれ第１および第２の開口部を具えており、前記第１の支柱（１１５）が、前記第１の開口部を介して前記第１の機械的接合部（１３０）を通って延び、前記第２の支柱（１１５）が、前紀第２の開口部を介して前記第２の機械的接合部（１３０）を通って延びることを特徴とする折り畳み椅子。
【請求項５】
請求項１に記載の折り畳み椅子（１００）において、
前記折り畳み可能な横棒（１２０）が、さらに、第２の棒セクションに取り外し可能に結合された第１の棒セクションを具えることを特徴とする折り畳み椅子。
【請求項６】
請求項１に記載の折り畳み椅子において、
前記折り畳み可能な横棒（１２０）が、さらに、第１の棒セクション、第２の棒セクション、及び第３の棒セクションを具え、前記第１のセクションが前記第２のセクションに取り外し可能に結合され、前記第２のセクションが前記第３のセクションに取り外し可能に結合されることを特徴とする折り畳み椅子。
【請求項７】
請求項１に記載の折り畳み椅子（１００）において、
前記折り畳み可能な横棒（１２０）の前記第１および第２の端部が、それぞれ前記第１および第２の機械的接合部（１３０、１３０）に固定結合されることを特徴とする折り畳み椅子。
【請求項８】
請求項１に記載の折り畳み椅子（１００）において、
前記折り畳み椅子（１００）が人を座らせるのに適した展開状態（１００Ａ）にあるときに、
前記第１の脚部（１１０）及び前記第１の前側椅子支持部材（１２５）が、約１３５度から約１８０度の間の第１の角度（θ１）を規定し、
前記第２の脚部（１１０）及び前記第２の前側椅子支持部材（１２５）が、約１３５度から約１８０度の間の第２の角度（θ１）を規定することを特徴とする折り畳み椅子。
【請求項９】
請求項１に記載の折り畳み椅子（１００）において、
前記折り畳み椅子（１００）が人を座らせるのに適した展開状態（１００Ａ）にあるときに、
前記折り畳み可能な横棒（１２０）及び前記第１の支柱（１１５）が、約８０度と約１００度の間の第１の角度（θ３）を規定し、
前記折り畳み可能な横棒（１２０）及び前記第２の支柱（１１５）が、約８０度から約１００度の間の第２の角度（θ３）を規定することを特徴とする折り畳み椅子。
【請求項１０】
請求項１に記載の折り畳み椅子（１００）において、
前記折り畳み椅子（１００）が人を座らせるのに適した展開状態（１００Ａ）にあるときに、前記第１、第２、第３、及び第４の脚部（１１０、１１０、１１５、１１５）のフットプリントが台形のフットプリント（７００）を規定することを特徴とする折り畳み椅子。
【請求項１１】
折り畳み椅子（１００）であって、
第１の端部および第２の端部を含む折り畳み可能な横棒（１２０）と、
前記折り畳み可能な横棒（１２０）の前記第１の端部に結合するよう構成され、第１の支柱（１１５）に取り外し可能に結合するよう構成された第１の機械的接合部（１３０）と、
前記折り畳み可能な横棒（１２０）の前記第２の端部に結合するよう構成され、第２の支柱（１１５）と解放可能に結合するよう構成される第２の機械的接合部（１３０）と、
前記第１および第２の機械的接合部（１３０、１３０）にそれぞれ取り外し可能に結合された第１および第２の脚部（１１０、１１０）と、
前記第１および第２の機械的接合部（１３０、１３０）にそれぞれ取り外し可能に結合された第１および第２の前側椅子支持部材（１２５、１２５）と、
右前部、左前部、右上部、左上部を具えた可撓性の椅子シート（１３５）と、
を具えており、
前記第１および第２の支柱（１１５、１１５）が、それぞれ前記第１および第２の機械的接合部（３０、１３０）に結合される場合に、
前記第１および第２の支柱（１１５、１１５）が、それぞれ前記折り畳み椅子（１００）の第３および第４の脚部として機能し、
前記右前部が、前記第１の前側椅子支持部材（１２５）に取り外し可能に結合するよう構成され、前記左前部が、前記第２の前側椅子支持部材（１２５）に取り外し可能に結合するよう構成され、前記右上部が、前記第１の支柱（１１５）の遠位端に取り外し可能に結合するよう構成され、前記左上部が、前記第２の支柱の（１１５）の遠位端に取り外し可能に結合するよう構成されていることを特徴とする折り畳み椅子。
【請求項１２】
請求項１１に記載の折り畳み椅子（１００）において、
前記第１の機械的接合部（１３０）が、前記第１の機械的接合部（１３０）に対して固定位置に前記第１の支柱（１１５）を選択的にロックするよう構成された第１のロック部材（１５０）を具えており、前記第２の機械的接合部（１３０）が、前記第２の機械的接合部（１３０）に対して固定位置に前記第２の支柱（１１５）を選択的にロックするよう適合された第２のロック部材（１５０）を具えていることを特徴とする折り畳み椅子。
【請求項１３】
請求項１２に記載の折り畳み椅子（１００）において、
第１および第２のロック部材（１５０、１５０）が、カラークランプロックを具えることを特徴とする折り畳み椅子。
【請求項１４】
請求項１１に記載の折り畳み椅子（１００）において、
前記折り畳み可能な横棒（１２０）が、さらに、第１の棒セクション、第２の棒セクション、及び第３の棒セクションを具えており、前記第１のセクションが前記第２のセクションに取り外し可能に結合されており、前記第２のセクションが前記第３のセクションに取り外し可能に結合されていることを特徴とする折り畳み椅子。
【請求項１５】
請求項１１に記載の折り畳み椅子（１００）において、
前記折り畳み椅子（１００）が人を座らせるのに適した展開状態（１００Ａ）にあるときに、
前記第１の脚部（１１０）および前記第１の前側椅子支持部材（１２５）が、約１３５度から約１８０度の間の第１の角度（θ１）を規定し、
前記第２の脚部（１１０）および第２の前側椅子支持部材（１２５）が、約１３５度から約１８０度の間の第２の角度（θ１）を規定することを特徴とする折り畳み椅子。
【請求項１６】
請求項１１に記載の折り畳み椅子（１００）において、
前記折り畳み椅子（１００）が人を座らせるのに適した展開状態（１００Ａ）にあるときに、
前記折り畳み可能な横棒（１２０）および前記第１の支柱（１１５）が、約８０度から約１００度の間の第１の角度（θ３）を規定し、
前記折り畳み可能な横棒（１２０）および前記第２の支柱（１１５）が、約８０度から約１００度の間の第２の角度（θ３）を規定することを特徴とする折り畳み椅子。
【請求項１７】
折り畳み椅子（１００）において、
第１の端部および第２の端部を具える折り畳み可能な横棒（１２０）と、
第１および第２の脚部（１１０、１１０）と、
第１および第２の前側椅子支持部材（１２５、１２５）と、
右前部、左前部、右上部、および左上部を具える可撓性の椅子シート（１３５）と、
前記折り畳み可能な横棒（１２０）の前記第１の端部、前記第１の脚部（１１０）、および前記第１の椅子支持部材（１２５）を互いに対して固定位置に結合するための第１の結合手段であって、第１の支柱（１１５）に取り外し可能に結合するよう構成された第１の結合手段と、
前記折り畳み可能な横棒（１２０）の前記第２の端部、前記第２の脚部（１１０）、および前記第２の椅子支持部材（１２５）を互いに対して固定位置に結合するための第２の結合手段であって、第２の支柱（１１５）に取り外し可能に結合するよう構成された第２の結合手段と、
を具えており、
前記第１および第２の支柱（１１５、１１５）が、それぞれ前記第１および第２の結合手段に結合される場合に、
前記第１および第２の支柱（１１５、１１５）が、それぞれ前記折り畳み椅子（１００）の第３および第４の脚部として機能し、
前記右前部が、前記第１の前側椅子支持部材（１２５）に取り外し可能に結合するよう構成され、前記左前部が、前記第２の前側椅子支持部材（１２５）に取り外し可能に結合するよう構成され、前記右上部が、前記第１の支柱（１１５）の遠位端に取り外し可能に結合するよう構成され、前記左上部が、前記第２の支柱（１１５）の遠位端に取り外し可能に結合するよう構成されていることを特徴とする折り畳み椅子。
【請求項１８】
請求項１７に記載の折り畳み椅子（１００）において、
前記第１の脚（１１０）が前記第１の結合手段にショックコード連結され、前記第２の脚（１１０）が前記第２の結合手段にショックコード連結され、前記第１の前側椅子支持部材（１２５）が前記第１の結合手段にショックコード連結され、前記第２の前側椅子支持部材（１２５）が前記第２の結合手段にショックコード連結されていることを特徴とする折り畳み椅子。
【請求項１９】
請求項１７に記載の折り畳み椅子（１００）において、
前記折り畳み椅子（１００）が人を座らせるのに適した展開状態（１００Ａ）にあるときに、
前記第１の脚部（１１０）および前記第１の前側椅子支持部材（１２５）が、約１３５度から約１８０度の間の第１の角度（θ１）を規定し、
前記第２の脚部（１１０）および前記第２の前側椅子支持部材（１２５）が、約１３５度から約１８０度の間の第２の角度（θ１）を規定することを特徴とする折り畳み椅子。
【請求項２０】
請求項１７に記載の折り畳み椅子（１００）において、
前記折り畳み椅子（１００）が人を座らせるのに適した展開状態（１００Ａ）にあるときに、
前記折り畳み可能な横棒（１２０）および前記第１の支柱（１１５）が、約８０度から約１００度の間の第１の角度（θ３）を規定し、
前記折り畳み可能な横棒（１２０）および前記第２の支柱（１１５）が、約８０度から約１００度の間の第２の角度（θ３）を規定することを特徴とする折り畳み椅子。
【発明の詳細な説明】
【技術分野】
【０００１】
関連出願の相互参照
本出願は、２０１８年１月２２日にロバート・スティーブン・グレイビルによって出願された「Muhl and Capra Chairs」と題される米国仮出願第６２／６２０，３０５号の利益を主張する。また、本出願は、２０１７年７月２１日にロバート・スティーブン・グレイビルよって出願された「Collapsible Alpine Chair」と題される米国仮出願第６２／５３５，７０９号の利益を主張する。また、本出願は、２０１７年２月３日にロバート・スティーブン・グレイビルによって出願された「Portable Collapsible Trekking Pole Chair」と題される米国仮出願第６２／４５４，１１２号の利益を主張する。
【０００２】
本出願は、参照により前述の出願の内容全体を本明細書に組み込んでいる。
【０００３】
様々な実施形態は、一般に、椅子に関する。
【背景技術】
【０００４】
椅子は、人が座ることができる家具である。椅子には、脚、座席、背もたれが含まれる。椅子の脚の数は、３、４、またはそれ以上となっている。椅子の座席はクッション付き又はクッション無しである。椅子の背もたれは、水平の椅子の座席に対して傾斜しており、又は、９０度の角度をなしている。
【０００５】
椅子にはさまざまな種類がある。例えば、アーム付きの椅子はアームチェアと呼ばれる。室内装飾品、リクライニング動作、および折り畳み式フットレストを備えた椅子は、リクライニングチェアと呼ばれる。飛行機の固定椅子は、航空会社の座席と呼ばれる。自動車で使用される椅子は、カーシートと呼ばれる場合がある。車輪付きの椅子は、車椅子と呼ばれる。
【発明の概要】
【０００６】
装置および関連する方法が、折り畳み可能な横方向支持棒、一対の前脚、一対の前側椅子支持棒、および関連する一対の支柱と結合するよう構成された一対の機械的接合部を有する折り畳み椅子に関し、折り畳み椅子は、持ち運びが容易なボリュームに折りたたまれるよう構成される。例示的な例では、機械的接合部が、様々な支持棒および／または脚に取り外し可能でありおよび／またはショックコード連結され得る。機械的接合部は、例えば、関連する支柱を機械的接合部に対して固定位置にロックするロック機構を含む。折り畳み椅子は、折り畳み椅子からギアを吊り下げるためのギアループを含む。様々な実施形態において、折り畳み椅子は、屋外ハイキング中の高い携帯性のために収納バッグにコンパクトに保管するよう構成されたフルサイズの軽量椅子を有利に提供し得る。
【０００７】
様々な実施形態は、１又はそれ以上の利点を達成し得る。例えば、いくつかの実施形態が、荒野でのハイキング時に快適な座席オプションを提供し得る。折り畳み椅子が、例えば、背の高い人および／または大きい人（例えば、６フィート以上）を有利に収容することができる。台形のフットプリントを備えた折り畳み椅子は、いくつかの例では、実質的な先端抵抗のための追加の構造および安定性を含む。いくつかの例では、折り畳み椅子は、ハイキングやスキーのユーザのために椅子の持ち運び重量を最小限に抑えるために再利用できる（例えば、トレッキング、スキー用の）支柱と組み合わせることができます。折り畳み椅子の展開は、例えば、折り畳み状態で椅子を振ることにより達成することができ、これにより、様々なショックコード連結部品を介した自己組立が容易になる。機械的接合部は、補強された支持部および機械的接合部のより弾力性のある（例えば、破壊／亀裂抵抗性）端部を有利に提供するためにフレア状にされてもよい。
【０００８】
さまざまな実施形態の詳細は、添付の図面および以下の説明に記載されている。他の特徴および利点は、説明及び図面、ならびに特許請求の範囲から明らかになるであろう。
【図面の簡単な説明】
【０００９】
【図１】図１は、展開状態および収納状態の例示的な折り畳み椅子の斜視図を示す。
【図２】図２Ａ、図２Ｂ、図２Ｃ、図２Ｄ、図２Ｅ、図２Ｆ、および図２Ｇは、折り畳まれた状態から展開状態への移行を示す例示的な折り畳み椅子の様々な図を示す。
【図３】図３Ａおよび３Ｂは、例示的な「キャプラ（CAPRA）チェア」構造を有する例示的な折り畳み椅子の正面図および背面図をそれぞれ示す。図３Ｃは、例示的な折り畳み可能な椅子の上部に構造的支持を提供するための例示的な上部ポケットおよび上部側面補強棒の正面図および断面図を示す。
【図４】図４Ａおよび４Ｂは、例示的なポケットおよび例示的な機械的接合部を詳述する例示的な折り畳み椅子の様々な図を示す。
【図５】図５は、ロック機構を備えた例示的な機械的接合部の正面図を示す。
【図６】図６Ａおよび６Ｂは、椅子の脚用の例示的な足の付属品の斜視図を示す。
【図７】図７は、例示的な折り畳み椅子の例示的な台形のフットプリントの平面図を示す。
【図８】図８Ａ、８Ｂ、８Ｃ、８Ｄ、８Ｅ、８Ｆ、および８Ｇは、例示的な折り畳み椅子の様々な図を示す。
【図９】図９は、例示的な変換脚の斜視図を示す。
【００１０】
さまざまな図面の同じ参照番号は、同じ構成要素を示す。
【発明を実施するための形態】
【００１１】
図１は、展開状態および収納状態の例示的な折り畳み椅子の斜視図を示す。展開状態１００Ａは、展開された折り畳み椅子１０５を含む。展開された折り畳み椅子１０５は、一対の後脚１１０を含む。展開された折り畳み椅子１０５は、一対の前脚として機能し得る一対の支柱１１５を含む。展開された折り畳み椅子１０５は、折り畳み可能な横棒１２０を含む。本実施形態では、折り畳み可能な横棒１２０は、折り畳み可能な横棒１２０をその組み立てられた長さの３分の１に折り畳むことを可能にするショックコード連結される３つの解放可能なロッド部品を含む。折り畳み式椅子１０５は、一対の前側椅子支持棒１２５を含む。折り畳み式椅子１０５は、折り畳み椅子１０５の側面に機械的接合部１３０を含む。いくつかの例では、機械的接合部１３０は、（１）関連する後脚１１０および前側椅子支持棒１２５にショックコード連結され、（２）折り畳み可能な横棒１２０に固定結合され、（３）関連する支柱１１５に取り外し可能に結合され得る。様々な実施形態において、各機械的接合部１３０は、関連する後脚１１０、支柱１１５、および前側椅子支持棒１２５に取り外し可能に結合され得る。様々な実施形態において、各機械的接合部１３０は、折り畳み可能な横棒１２０に取り外し可能に連結され得る。これらの構成要素は、柔軟な椅子シート１３５の支持構造を形成する。折り畳み椅子１０５の折り畳み可能な性質は、折り畳み椅子１０５が収納バッグ内に収まるのに十分小さいサイズに折り畳まれることを有利に可能にし得る。
【００１２】
収納状態１００Ｂは、収納バッグ１４０および一対の支柱１１５を含む。収納バッグ１４０は、小さくコンパクトな容積で（折り畳まれた状態で）折り畳み椅子１０５を収納し、例えば、屋外のハイキングおよびトレッキング中に折り畳み椅子１０５の高い携帯性を有利に可能にし得る。
【００１３】
図１の例示的な表現では、一対の支柱１１５はトレッキングポールである。いくつかの実施形態では、一対の支柱１１５は、一対のスキーストックであってもよい。いくつかの例では、折り畳み可能な横棒１２０は、機械的接合部１３０と（折り畳み可能な横棒１２０の端部で）ショックコード連結され得る。様々な例では、折り畳み可能な横棒１２０は、締結具（例えば、ブラインドリベット）を介して機械的接合部１３０に固定結合され得る。様々な実施形態において、折り畳み可能な横棒１２０は、折り畳み可能な横棒１２０がその組み立てられた長さの半分に折り畳まれ得るように、互いに取り外し可能にショックコード連結される第１のセクションおよび第２のセクションを含み得る。収納バッグ１４０は、例えば、支柱１１５が分解された状態にあるときに、支柱１１５を保管することができる。
【００１４】
図２Ａ、図２Ｂ、図２Ｃ、図２Ｄ、図２Ｅ、図２Ｆ、および図２Ｇは、折り畳まれた状態から展開状態への移行を示す例示的な折り畳み椅子の様々な図を示す。（図２Ａに示す）折り畳まれた状態１００Ｃは、収納バッグ１４０、一対の支柱１１５、可撓性の椅子シート１３５、および折り畳まれた椅子の支持構造１４５を含む。折り畳まれた椅子の支持構造１４５は、後脚１１０、折り畳み可能な横棒１２０、前側椅子支持棒１２５、および機械的接合部１３０を含む。折り畳まれた椅子の支持構造１４５および可撓性の椅子シート１３５は、収納バッグ１４０内に収納され得る。図２Ｂは、折り畳み可能な横棒１２０の関連する端部で機械的接合部１３０に固定結合された折り畳み可能な横棒１２０のアセンブリを示す。図２Ｂの上の図から下の図に向かって示すように、最初、折り畳み可能な横棒１２０は折り畳まれた状態にある。折り畳み可能な横棒１２０は、第３のセクション１２０Ｃにショックコード連結される第２のセクション１２０Ｂにショックコード連結される第１のセクション１２０Ａを含む。次に、３つのセクション１２０Ａ−Ｃは、共通軸に沿って整列する。最後に、３つのセクション１２０Ａ−Ｃ間のショックコードが、これらのセクションを一緒に引っ張って、組み立てられた折り畳み可能な横棒１２０を形成する。
【００１５】
図２Ｃでは、組み立てられた折り畳み可能な横棒１２０が機械的接合部１３０に結合されて示されている。機械的接合部１３０は、関連する後脚１１０および前側椅子支持棒１２５にショックコード連結される。図示の例では、後脚１１０および前側椅子支持棒１２５は、機械的接合部１３０にまだ組み立てられていない。
【００１６】
ユーザは、後脚１１０および前側椅子支持棒１２５を操作して、図２Ｄに示す第１の中間展開状態１００Ｄに折り畳み椅子を移行させることができる。第１の中間展開状態１００Ｄでは、後脚１１０および前側椅子支持棒１２５が機械的接合部１３０に挿入されている。折り畳み可能な横棒１２０の３つのセクションは、一緒に組み立てられて横方向に延びるロッドを形成する。第１の中間展開状態１００Ｄは、実質的に「Ｈ」形状に似ている。中間展開状態１００Ｄは、第１の支柱セクション１１５Ａと第２の支柱セクション１１５Ｂに分離された支柱１１５を示している。いくつかの例では、第１の支柱セクション１１５Ａは、支柱１１５の上部セクションに対応し、第２の支柱セクション１１５Ｂは、支柱１１５の下部セクションに対応する。
【００１７】
図２Ｅでは、双方の第１の支柱セクション１１５Ａが関連する機械的接合部１３０に挿入されており、第１の中間展開状態１００Ｄから第２の中間展開状態１００Ｅに折り畳み椅子を移行させている。支柱１１５は、選択的ロック部材１５０によって機械的接合部１３０に選択的にロックされ得る。
【００１８】
図２Ｆでは、第２の支柱セクション１１５Ｂが、関連する第１の支柱セクション１１５Ａと組み立てられており、折り畳み椅子用の組み立てられた支持構造１００Ｆを形成している。図２Ｇでは、可撓性の椅子シート１３５の一対の上ポケット１５５Ａが、支柱１１５が可撓性の椅子シート１３５の上部を支持するように、支柱１１５の遠位端を受ける。一対の前側椅子支持棒１２５の遠位端が、展開状態（例えば、図１の１００Ａ）に折り畳み椅子を移行させるために、可撓性の椅子シート１３５の関連する一対の前側ポケット１５５Ｂに挿入される。
【００１９】
図３Ａおよび図３Ｂは、例示的な「キャプラ（CAPRA）チェア」構造を有する例示的な折り畳み椅子の正面図および背面図をそれぞれ示す。展開された折り畳み式キャプラチェア３００は、一対の後脚３１０、一対の前脚３１５、折り畳み可能な横棒３２０、一対の前側椅子支持棒３２５、一対の後側椅子支持棒３０５、一対の機械的接合部３３０、可撓性の椅子シート３３５を含む。いくつかの実施形態では、各機械的接合部３３０は、（１）関連する後脚３１０、前脚３１５、前側椅子支持棒３２５、および後側椅子支持棒３０５とショックコード連結することができ、（２）折り畳み可能な横棒３２０に固定結合され得る。様々な実施形態において、各機械的接合部３３０は、関連する後脚３１０、前脚３１５、前側椅子支持棒３２５、および後側椅子支持棒３０５と取り外し可能に連結され得る。様々な実施形態において、各機械的接合部３３０は、折り畳み可能な横棒３２０と取り外し可能に連結され得る。
【００２０】
いくつかの例では、前脚３１５および後側椅子支持棒３０５は、機械的接合部３３０を通って延びる単一のロッドであり得る。様々な実施形態では、前脚３１５は、機械的接合部３３０に固定結合され得る。いくつかの実施形態では、後側椅子支持棒３０５は、機械的接合部３３０に固定結合され得る。いくつかの例では、後側椅子支持棒３０５は、互いにショックコード連結された第１のセクションと第２のセクションとに分離することができる。いくつかの実施形態では、前脚３１５および後側椅子支持棒３０５は、図１および図２Ａ−Ｇの支柱１１５と同様の機能を果たし得る（例えば、それぞれ折り畳み椅子の前脚と背部サポートとして機能する）。
【００２１】
様々な例において、可撓性の椅子シート３３５は、腰部、下肢、および上肢領域（例えば、ユーザの腰の近く）の座り心地をユーザに有利に提供することができるサイドカットアウト領域３３６を含む。可撓性の椅子シート３３５は、可撓性の椅子シート３３５の背部（例えば、後部「サドル」）と結び付けられるサイドパネル３３７を含み、座っているユーザに対する大きな腰部支持を有利に提供することができる。さらに、サイドカットアウト３３５の配置は、ユーザの腰部の典型的な位置に対して最適化され得る。例示的な例として、（折り畳み椅子３００に座っているユーザにより）可撓性の椅子シート３３５の底部（例えば、底部「サドル」）に力が加えられると、この力はサイドパネル３３７を引き込み、カットアウト３３６がユーザの中央部の周りにぴったりと一致することで、（例えば、以下に説明するストラップ３７０を使用する必要なしに）ユーザに対してより大きな腰部支持を提供する。カットアウト３３６は、例えば、可撓性の椅子シート３３５の総重量を減らし得る。一部の実施形態では、カットアウト３３６は、ユーザをシートの形状に押し込むのではなく、シート３３５が複数のシート位置（例えば、スツールまたは直立状態、着座状態またはリクライニング、および前かがみ）でユーザに適合することを可能にし得る。
【００２２】
可撓性の椅子シート３３５上に位置するのは、ギアループ３４０である。ギアループ３４０は、例えば、可撓性の椅子シート３３５の外周に位置する。この例示的な実施形態では、一対のギアループ３４０が、可撓性の椅子シート３３５の前縁部に位置し、別の一対のギアループ３４０が可撓性の椅子シートの３３５の上縁部に位置する。ギアループ３４０は、折り畳み式キャプラチェア３００（またはMuhlチェア１００）からの所持品（例えば、水筒）の吊り下げを有利に可能にし得る。
【００２３】
可撓性の椅子シート３３５の上部内側部分には、横方向補強棒３４５Ａが配置されている。横方向補強棒３４５Ａは、折り畳み椅子３００が展開状態（例えば、図１の１００Ａ）にあるとき、可撓性の椅子シート３３５に上部構造支持を提供する。横方向補強棒３４５Ａは、可撓性の椅子シート３３５の上ポケット３５０の中に置かれている。上ポケット３５０は、可撓性の椅子シート３３５の上部を横方向に延びている。参照番号３４５Ａで示される状態では、横方向補強棒は上ポケット３５０の中に保持される。参照番号３４５Ｂで示される状態では、横方向補強棒は上部コーナー開口部３５５を通って上ポケットに出入りする。したがって、横方向補強棒３４５Ａ／３４５Ｂは、上ポケット３５０内に選択的に保持され、状態３４５Ａの横方向補強棒は、折り畳み椅子３００に上部の構造的支持を提供し、状態３４５Ｂでは、上ポケット３５０から取り外されて、収納バッグ内に携帯可能に保管され得る。
【００２４】
図３Ｂに示されるように、サイドストラップ３６０Ａ、３６０Ｂは、横方向補強棒３４５Ａが上ポケット３５０に保持されるときに、可撓性の椅子シート３３５に追加の補強支持を提供するよう使用され得る。例えば、横方向補強棒３４５Ａは、可撓性の椅子シート３３５に上部横方向支持を提供するため、可撓性の椅子シート３３５の２つの上部コーナーに外向きの力を生じさせる。そのような力は、可撓性の椅子シート３３５の上部コーナーに著しい摩耗を引き起こす可能性がある。この摩耗を軽減するために、サイドストラップ３６０Ａ、３６０Ｂが、可撓性の椅子シート３３５の上側コーナーに縫い付けられ、次いで、横方向補強棒３４５Ａが可撓性の椅子シート３３５の上側コーナーに外向きの力を生成する領域に（例えば、面ファスナーを介して）取り付けられる。
【００２５】
アンダーキルト３６５が、可撓性の椅子シート３３５の底部側に位置する。アンダーキルト３６５は、可撓性の椅子シート３３５に取り外し可能に連結することができる（例えば、クリップまたは面ファスナーを介して取り付けられる）。アンダーキルト３６５は、底部の断熱を有利に提供し、熱を捕らえるよう機能し、および／またはユーザが折り畳み椅子３００に座っているときにユーザのために冷たい気流を和らげることができる。
【００２６】
図３Ｂでは、折り畳み椅子３００は、バックストラップ３７０を含む。バックストラップ３７０は、可撓性の椅子シート３３５の背面に横方向の張力を加えるか又はこれを緩和するために長さを調整し得る。例えば、小柄で、背が低く、軽いユーザは、バックストラップ３７０の長さを短くして、可撓性の椅子シート３３５の背部の張力を適切に調整することを望む一方で、背が高くて重いユーザが、バックストラップ３７０の長さを長くして可撓性の椅子シート３３５の背部の張力を適切に調整することを望む場合がある。
【００２７】
図３Ｂでは、折り畳み椅子３００は、収納バッグ３７２を含む。収納バッグ３７２は、（１）折り畳み椅子３００の様々な構成要素を折り畳まれた状態（例えば、図２Ａの１００Ｃ）で収納する、（２）展開状態（例えば、図１の１００Ａ）の折り畳み椅子３００に底部支持を提供する、という２つの機能を実行し得る。例えば、収納バッグ３７２は、機械的接合部３３０に（例えば、紐を介して）取り外し可能に連結することができる。ユーザが折り畳み椅子３００に座ると、収納バッグ３７２を押し下げ、収納バッグ３７２の張力を増加させる。したがって、収納バッグ３７２は、折り畳み椅子３００に対してさらなる底部支持を提供することができる。代替的に、収納バッグ３７２Ａを、雪用のフットプリントとして足の下の支持体として使用することができる。例えば、深い雪の中で、収納バッグを裏返しにして、地面／雪に隣接する足３１０、３１５に取り付けて、スノーシュー（例えば、「フットプリント」または「グラウンドシート」）として有利に機能させることができる。様々な実施形態において、収納バッグは、例えばポケットとして使用するために、ギアループ３４０のいずれかにクリップ留めすることができる。
【００２８】
図３Ｃは、例示的な折り畳み椅子の上部に構造的支持を提供するための例示的な上ポケットおよび上部横方向補強棒の正面図および断面図を示す。折り畳み椅子３００の（図３Ｂにも示されている）右上部３７５は、図３Ｃにより詳細に示されている。いくつかの例では、折り畳み椅子３００の左上部は、右上部３７５の鏡像である。
【００２９】
右上部３７５は、保持された横方向補強棒３４５Ａを含む。保持された横方向補強棒３４５Ａは、出入りする横方向補強棒３４５Ｂに移行し得る。横方向補強棒３４５Ａ、３４５Ｂは、可撓性の椅子シート３３５の上部横ポケット３５０内に示されている。右上部３７５は、第１の縫い目３８０Ａおよび第２の縫い目３８０Ｂを含む。第１および第２の縫い目３８０Ａ、３８０Ｂは、上ポケット３５０の上部ポケットセクション３８５Ａおよび下部ポケットセクション３８５Ｂを規定する。いくつかの例では、上部ポケットセクション３８５Ａは「コーナー捕捉ポケット」と称される。第１の縫い目３８０Ａは、右上部３７５の上部横方向に限られた距離に沿って延びており、一方、第２の縫い目３８０Ｂは、可撓性の椅子シート３３５のほぼ上部横方向の全体の距離に沿って延びている。保持された横方向補強棒３４５Ａは、第１の縫い目３８０Ａによって、上ポケット３５０の上部ポケットセクション３８５Ａ内に保持される。上ポケット３５０の下側境界は、第２の縫い目３８０Ｂによって規定され得る。また、右上部３７５の２つの異なる断面図が図３Ｃに示されており、参照符号Ａ−ＡおよびＢ−Ｂで特定される。右上部３７５は、右上部３７５の側面を（上部コーナーの開口部３５５を除いて）閉鎖するための縫い目をさらに含む。
【００３０】
例示的な図示では、ハイキングのユーザは、折り畳まれた状態（例えば、図２Ａの１００Ｃ）で収納バッグから折り畳み椅子３００を開梱する。次に、ユーザは、休憩場所で展開状態（例えば、図１の１００Ａ）に折り畳み椅子３００を組み立てる。可撓性の椅子シート３３５が椅子支持構造体（例えば、図２Ｇを参照）に結合された後、ユーザは、横方向補強棒を取り、それを上部コーナーの開口部３５５に挿入する。次いで、横方向補強棒３４５Ｂが、上ポケット３５０の下部ポケットセクション３８５Ｂに配置される。次に、ユーザは、上部ポケットセクション３８５Ａ内に横方向補強棒３４５Ｂを押し上げて、上部ポケットセクション３８５Ａに横方向補強棒を取り込むことで、状態３４５Ｂから状態３４５Ａ（たとえば、「保持」状態）に横方向補強棒を移行させることができる。保持状態３４５Ａでは、横方向補強棒は上ポケット３５０に保持されており、折り畳み椅子３００に座っている間、ユーザに上部の構造的支持を提供する。ユーザが休憩場所を離れて折り畳み椅子３００を梱包する準備ができたら、ユーザは上部ポケットセクション３８５Ａから横方向補強棒を取り外し、下部ポケットセクション３８５Ｂに横方向補強棒を移動させることで、状態３４５Ａから状態３４５Ｂに横方向補強棒を移行させる。次に、ユーザは、上ポケット３５０の下部ポケットセクション３８５Ｂから横方向補強棒を取り外す。最後に、ユーザは、折り畳み状態に折り畳み椅子３００を移行させ、様々な構成要素を収納バッグに保管し、ユーザは続けてハイキングできる。
【００３１】
様々な例において、第１および第２の縫い目３８０Ａ、３８０Ｂは、代わりに、可撓性の椅子シート３３５の（熱）接合された部分であってもよい。例えば、上ポケット３５０の横方向の長さは、（部分的に）互いに融合されて、上ポケット３５０の上部および下部ポケットセクション３８５Ａ、３８５Ｂを形成する。いくつかの実施形態では、代わりに、第１および第２の縫い目３８０Ａ、３８０Ｂは、上ポケット３５０の横方向の長さが（部分的に）接着されて上ポケット３５０の上部及び下部ポケットセクション３８５Ａ、３８５Ｂを形成するように、接着剤であってもよい。
【００３２】
いくつかの例では、横方向補強棒３４５Ａ、３４５Ｂは折り畳み可能であってもよい。例えば、横方向補強棒は、（例えば、横方向支持棒１２０に類似する）互いに解放可能なおよび／またはショックコード連結される第１および第２のセクションを含む。したがって、横方向補強棒は、その最大長さの一部まで折り畳まれ、折り畳み椅子３００の折り畳み可能な構成要素の残りの部分と一緒に収納バッグに有利に収納できる。
【００３３】
図４Ａおよび４Ｂは、例示的なポケットおよび例示的な機械的接合部を詳述する例示的な折り畳み椅子の様々な図を示す。折り畳み椅子４００は、可撓性の椅子シート４１０の上ポケット４０５を含む。上ポケット４０５は、折り畳み椅子４００が展開状態（たとえば、図１、１００Ａ）にあるときに支柱４１５が可撓性の椅子シート４１０を支持するように、関連する支柱４１５の遠位端を受け入れるよう構成される。可撓性の椅子シート４１０の前ポケット４２０は、折り畳み椅子４００が展開状態（例えば、図１、１００Ａ）にあるときに前側椅子支持棒４２５が可撓性の椅子シート４１０を支持するように、関連する前側椅子支持棒４２５の遠位端を受け入れるよう構成される。面ファスナーのストラップ４０５Ａが、上ポケット４０５に配置され、上ポケット４０５の耐久性を向上させ構造的支持を提供する。
【００３４】
折り畳み椅子４００は、一対の機械的接合部４３０を有する。図４Ｂの例示的な実施形態に示すように、各機械的接合部４３０は、前下端部４３０Ａ、後下端部４３０Ｂ、後上端部４３０Ｃ、前上端部４３０Ｄ、および側端部４３０Ｅを有する。前下端部４３０Ａおよび後上端部４３０Ｃは、支柱４１５に取り外し可能に（例えば、摺動可能に）結合する。後下端部４３０Ｂは、後脚４３５と結合する。前上端部４３０Ｄは、前側椅子支持棒４２５と結合する。側端部４３０Ｅは、折り畳み可能な横棒４４０と結合する。この例示的な図示では、機械的接合部４３０の端部の少なくともいくつかはフレア状であり、補強された支持体およびより弾力性のある（例えば、破損／亀裂耐性）機械的接合部４３０の端部を有利に提供し得る。
【００３５】
機械的接合部４３０は、機械的接合部４３０に対して支柱４１５を所定の位置にロックするロック機構４４５を有する。この例示的な実施形態では、ロック機構４４５はカラークランプロックである。カラークランプロック４４５は、機械的接合部４３０に支柱４１５をロック式にクランプするクランプ力を提供する。ロック機構４４５は、機械的接合部４３０から支柱４１５を保持または除去するために、ユーザによって選択的にロック／ロック解除され得る。ある実施例では、ロック機構４４５は、ピンロック（例えば、コッター）であってもよい。
【００３６】
また、図４Ａに収納バッグ４５０が示されている。収納袋３７２は、（１）折り畳み状態（例えば、図２Ａの１００Ｃ）の折り畳み椅子４００の様々な構成要素を収納し、（２）展開状態（例えば、図１の１００Ａ）の折り畳み椅子４００に底部支持を提供する、という二重の機能を実行することができる。例えば、収納バッグ４５０は、支柱４１５および前側椅子支持棒４２５に取り外し可能に（例えば、紐を介して）連結する。ユーザが折り畳み椅子４００に座るとき、収納バッグ４５０を押し下げて、収納バッグ４５０の張力を増加させることができる。したがって、収納バッグ４５０は、折り畳み椅子４００にさらなる下部支持を提供することができる。
【００３７】
図５は、ロック機構を備えた例示的な機械的接合部の正面図を示す。機械的接合部５００は、例えば、図１および図２Ａ−Ｇに示される機械的接合部１３０であってもよい。機械的接合部５００は、前下端部５０５Ａ、後下端部５０５Ｂ、後上端部５０５Ｃ、前上端部５０５Ｄ、および側端部５０５Ｅを有する。
【００３８】
機械的接合部５００は、機械的接合部５００に対して適所に棒または支柱を選択的にロックするロック機構５１０を含む。この例示的な実施形態では、ロック機構５１０はカラークランプロックである。いくつかの実施形態では、ロック機構５１０はクイックリリースロックであってもよい。
【００３９】
機械的接合部５００は、ロック機構５１０に近接して位置する放射状スロット５１５を含む。放射状スロット５１５は、後上端部５０５Ｃの一部を内側に曲げて、棒または支柱に摩擦係合させ得ることにより、ロック機構５１０の固定圧縮を有利に促進し得る。放射状スロット５１５は、後上端部５０５Ｃの摩耗を低減するのに役立ち得る。
【００４０】
機械的接合部５００は、側端部５０５Ｅに穴５２５を含む。留め具（例えばブラインドリベット）が穴の中に挿入され、折り畳み可能な横棒（例えば、図１の１２０）の端部の関連する穴を通る。留め具は、折り畳み可能な横棒の端部を機械的接合部の側端部５０５Ｅに固定結合する。
【００４１】
機械的接合部５００は、任意選択的に、前下端部５０５Ａおよび後上端部５０５Ｃを通って延びる内部スリーブを含む。内部スリーブは、例えば、２０１８年1月２２日にロバート・グレイビルによって出願され、その全内容が参照により本明細書に組み込まれる「Muhl and Capra Chairs」と題される米国仮出願第６２／６２０，３０５号の図面の４２ページの左下に位置する内部スリーブであり得る。内部スリーブは支柱を囲んでいる。ロック機構５１０が固定位置に締め付けられると、内部スリーブが支柱に圧縮係合し、さらなる（静的）摩擦力を提供して、機械的接合部５００に対して支柱を固定位置に保持する。
【００４２】
機械的接合部５００は、支柱上のキーを補完するキー溝付きスロット５２０を含む。キー溝付きスロット５２０は、有利に、前下端部５０５Ａに支柱を適切に位置合わせするのに役立ち得る。キー溝付きスロット５２０は、例えば、スリーブアダプタ（例えば、前段落で述べた内部スリーブ）の位置をロックするために使用される。いくつかの実施形態において、キー溝付きスロットは、他の様々なアクセサリ（例えば、MUHLからキャプラ（CAPRA）への変換レッグアダプタ）に使用され得る。
【００４３】
いくつかの例では、例示的な機械的接合部がロック機構を有さない場合がある。例えば、機械的接合部は、米国仮出願第６２／６２０，３０５号の図面の３８ページに示されている機械的接合部であってもよい。ロック機構のない機械的接合部は、図３Ａ−Ｂに示される機械的接合部３３０として使用される。
【００４４】
機械的接合部５００の異なる端部間の角度は、以下のように規定される：θ１、すなわち、後下端部５０５Ｂと前上端部５０５Ｄとの間の角度は、約１３５、１４０、１４５、１５０、１５５、１６０、１６５、１７０、１７５、または約１８０度以上であり、θ２、すなわち、前下端部５０５Ａと後上端部５０５Ｃとの間の角度は、約１３５、１４５、１５５、１６５、１７５、１７７、１７９、１８０、１８１、１８３、または約１８５度以上であり、θ３、すなわち、後上端部５０５Ｃと側端部５０５Ｅとの間の角度は、約７０、８０、８５、８７、８９、９０、９１、９３、９５、１００、または約１１０度以上である。
【００４５】
図６Ａおよび６Ｂは、椅子の脚用の例示的な足部の付属品の斜視図を示す。椅子の脚６００は足部６０５を含む。椅子の脚６００は、いくつかの例では、図１の椅子の脚１１０、図１の支柱１１５、図３Ａ−Ｂの脚３１０、または図３Ａ−Ｂの脚３１５である。足部６０５は、足部付属品６１０に連結される。例えば、足部付属品６１０は、足部付属品６１０が足部６０５の遠位端に連結されるように、足部６０５と摩擦係合するよう構成された内面を有する穴６１５を含む。いくつかの例では、足部付属品６１０は、取り外し可能なパッド付き足である。足部６０５および足部付属品６１０は、ツーピースの足部を形成してもよく、この場合、足部付属品６１０は、足部６０５上を滑ることができる。足部付属品６１０は、バックパッキングの重量を減らすために足部６０５から取り外され得る。滑らかな床（例えば、堅木張りの床）に折り畳み椅子を展開するとき、足部付属品６１０に足部６０５を付けてもよい。様々な例では、足部付属品６１０は、（硬質）ゴム材料で形成される。
【００４６】
図７は、例示的な折り畳み椅子の例示的な台形のフットプリントの平面図を示している。台形のフットプリント７００は、展開された折り畳み椅子（例えば、折り畳み椅子１０５、３００、４００）が平らな表面に置かれたときに形成され得る。例えば、一対の支柱１１５または一対の前脚３１５は、台形のフットプリント７００の上側の２つの頂点７００Ａ、７００Ｂに対応し、一方、一対の後脚１１０、３１０は、台形のフットプリント７００の下側の２つの頂点７００Ｃ、７００Ｄに対応する。台形のフットプリント７００は、椅子が実質的に転倒防止されることを可能にし得る折り畳み椅子に非常に安定した支持点を有利に提供し得る。
【００４７】
図８Ａ、８Ｂ、８Ｃ、８Ｄ、８Ｅ、８Ｆ、および８Ｇは、例示的な折り畳み椅子の様々な図を示す。図８Ａは、例示的な折り畳み椅子の正面斜視図である。図８Ｂは、例示的な折り畳み椅子の正面図である。図８Ｃは、例示的な折り畳み椅子の背面図である。図８Ｄは、例示的な折り畳み椅子の平面図である。図８Ｅは、例示的な折り畳み椅子の底面図である。図８Ｆは、例示的な折り畳み椅子の右側立面図である。図８Ｇは、例示的な折り畳み椅子の左側立面図である。
【００４８】
図９は、例示的な変換脚の斜視図を示す。変換脚９００は、折り畳み椅子１００の支柱１１５の代わりとして使用される。変換脚９００は、３つのセグメント９０５Ａ、９０５Ｂ、および９０５Ｃを含む。いくつかの例では、各セグメント９０５Ａ、９０５Ｂ、および９０５Ｃはアルミニウム管である。各セグメント９０５Ａ、９０５Ｂ、および９０５Ｃは、隣接するセグメントとショックコード連結されている。したがって、変換脚９００のうちの２つは、折り畳み椅子１００と共に有利に使用され、その後折り畳まれて収納バッグ１４０に収納され得る。変換脚９００は、キー付きディテールを備えたストップカラー９２０を含む。ストップカラー９２０のキー付きディテールは、機械的接合部５００のキー付きスロー（ｓｌｏｗ）５２０と嵌合することができ、例えば、（結合時に）機械的接合部５００に対して固定位置に変換脚９００を保持することができる。変換脚９００は、取り外し可能なコルクまたはハンドル９１５を含む。取り外し可能なコルク／ハンドル９１５は、硬質フォームのハンドルである。取り外し可能なコルク／ハンドル９１５は、遠位端に、布製シートバック３３５の横方向補強棒３４５Ａ、３４５Ｂと相互作用する射出成形された先端部を含む。
【００４９】
図を参照して様々な実施形態を説明したが、他の実施形態も可能である。例えば、機械的接合部は、硬くて強い材料（例えば、鋼、アルミニウム、チタン、射出成形したナイロン、または複合材料）で形成され得る。様々なロッドは、軽量で硬い材料（例えば、アルミニウム、チタン、または複合材料）で形成され得る。可撓性の椅子シートは、布または合成材料（例えば、綿、ナイロン、またはポリエステル）で形成され得る。いくつかの例では、可撓性の椅子シートは、軽量で強い材料（例えば、リップストップナイロン生地、立方体繊維、またはポリエチレン）で形成され得る。
【００５０】
いくつかの例では、折り畳み椅子は１ポンド（例えば、MUHLチェア１００）または２ポンド（例えば、キャプラ（CAPRA）チェア３００）ほどの重さであり、これは、ハイキングまたはトレッキングユーザーのための高／軽量携帯性を有利に可能にし得る。いくつかの例では、機械的接合部は、さまざまな（トレッキングまたはスキー用の）支柱に結合できるユニバーサルアダプターとして機能する。いくつかの実施形態では、様々な構成要素を互いにショックコード連結することができ、これにより、いくつかの構成要素が他の構成要素から分離（および紛失）するのを有利に防ぐことができる。
【００５１】
いくつかの例では、折り畳み椅子のさまざまな構成要素がキットとして販売される。 例えば、キットには、可撓性の椅子シート、機械的接合部、折り畳み可能な横棒、後脚、および前側椅子支持棒が含まれており、すべてが収納バッグ内に収納される。支柱は別売りとされ得る。いくつかの例では、キットには可撓性の椅子シート、機械的接合部、折り畳み可能な横棒、後脚、前脚、前側椅子支持棒、および後側椅子支持棒が含まれ、すべてが収納バッグに収納される。いくつかの例では、前側椅子支持棒および後側椅子支持棒が、単一構造（例えば、機械的接合部を通って延びるよう構成された単一の支持棒）で形成される。
【００５２】
様々な例では、第１のパーツ（例えば後脚１１０）が第２のパーツ（例えば機械的接合部１３０）に「ショックコード連結」されると言われるとき、それは第１のパーツがショックコード連結を介して第２のパーツに連結されることを意味する。いくつかの実施形態では、折り畳み可能な横棒は、折り畳み可能な横棒をその最大長の数分の１まで折り畳むことを可能にする入れ子式ロッドである。様々な例において、折り畳み可能な横棒は、機械的接合部に（例えば、ツイストロックを介して）解放的にロックされ得る。
【００５３】
いくつかの実施形態では、第１の機械的接合部（１３０）は、折り畳み可能な横棒（１２０）の第１の端部、第１の脚（１１０）、および第１の椅子支持部材（１２５）を互いに固定位置で連結する。第１の機械的接合部は、第１の支柱（１１５）に取り外し可能に結合するよう構成される。いくつかの例では、第２の機械的接合部（１３０）は、折り畳み可能な横棒（１２０）の第２の端部、第２の脚（１１０）、および第２の椅子支持部材（１２５）を互いに固定位置で連結する。第２の機械的接合部は、第２の支柱（１１５）に取り外し可能に結合するよう構成され得る。
【００５４】
いくつかの例では、キャプラ（CAPRA）チェア３００は、MUHLチェア１００で描かれた態様（例えば、ロック機構１５０）を有する。様々な例において、MUHLチェア１００は、キャプラ（CAPRA）チェア３００で描かれた特徴（例えば、上ポケット３５０、横方向補強棒３４５Ａ／３４５Ｂ、アンダーキルト３６５、バックストラップ３７０、下側収納バッグ３７２）を有し得る。
【００５５】
多くの実施例を説明した。それにもかかわらず、様々な修正が行われ得ることが理解されるであろう。例えば、開示された技術のステップが異なる順序で実行された場合、又は、開示されたシステムの構成要素が異なる方法で組み合わされた場合、又は、その構成要素が他の構成要素で補われた場合、有利な結果が達成され得る。したがって、他の実施例は以下の特許請求の範囲内にある。
【図１】
2020506031.tif 000003
【図２Ａ】
2020506031.tif 000004
【図２Ｂ】
2020506031.tif 000005
【図２Ｃ】
2020506031.tif 000006
【図２Ｄ】
2020506031.tif 000007
【図２Ｅ】
2020506031.tif 000008
【図２Ｆ】
2020506031.tif 000009
【図２Ｇ】
2020506031.tif 000010
【図３Ａ】
2020506031.tif 000011
【図３Ｂ】
2020506031.tif 000012
【図３Ｃ】
2020506031.tif 000013
【図４Ａ】
2020506031.tif 000014
【図４Ｂ】
2020506031.tif 000015
【図５】
2020506031.tif 000016
【図６Ａ】
2020506031.tif 000017
【図６Ｂ】
2020506031.tif 000018
【図７】
2020506031.tif 000019
【図８Ａ】
2020506031.tif 000020
【図８Ｂ】
2020506031.tif 000021
【図８Ｃ】
2020506031.tif 000022
【図８Ｄ】
2020506031.tif 000023
【図８Ｅ】
2020506031.tif 000024
【図８Ｆ】
2020506031.tif 000025
【図８Ｇ】
2020506031.tif 000026
【図９】
2020506031.tif 000027
【国際調査報告】
2020506031.tif 000028